(57)【特許請求の範囲】
【請求項１】
いすの座面上に配置される直線状の座面配置直線部が側部に設けられた第１部材と、
一端部が、前記第１部材の一端部に所定の第１軸線回りに相対回動可能に連結された第２部材と、
背もたれに沿って配置される直線状の背もたれ配置直線部が側部に設けられ、一端部が、前記第２部材の他端部に前記第１軸線と平行な第２軸線回りに相対回動可能に連結された第３部材と、
前記第１部材の前記座面配置直線部の水平面に対する角度を示す第１角度表示手段と、
前記第１部材の前記座面配置直線部と、前記第１軸線および前記第２軸線間を結ぶ線分とのなす角度を示す第２角度表示手段と、
前記第１軸線および前記第２軸線間を結ぶ線分と、前記第３部材の背もたれ配置直線部とのなす角度を示す第３角度表示手段と、
を備えることを特徴とする、いすの測定器。
【請求項２】
請求項１に記載のいすの測定器において、
前記座面配置直線部に沿ってスライド可能に設けられたスライド部材と、
前記スライド部材に揺動自在に設けられた振り子と、
を備え、
前記第１部材には、前記座面配置直線部に沿って目盛が設けられたことを特徴とする、
いすの測定器。
【請求項３】
請求項１又は２に記載のいすの測定器において、
前記第２部材には、第２部材の長さを調整することにより、前記第１軸線および前記第
２軸線間の距離を調整する、第２部材長さ調整手段が設けられていることを特徴とする、
いすの測定器。
【発明の詳細な説明】
【技術分野】
【０００１】
本発明は、いすの座面の傾斜角度、背もたれの傾斜角度、坐位基準点の高さなどを測定するために用いる、いすの測定器に関する。
【背景技術】
【０００２】
いすは使用目的によって座面の傾斜角度、背もたれの支持面の傾斜角度および坐位基準点の高さが異なり、これらの３要素によりいすの使用目的としての属性が決まるといわれている。例えば、非特許文献１では、いすの使用目的としての属性を決める３要素（以下単に「３要素」という。）がそれぞれ異なる１型〜６型のいすの支持面のプロトタイプが提案されている。同文献における１型〜２型は作業姿勢用であり、型番号が大きくなるにしたがって順次休息の要素が強くなる。
【先行技術文献】
【非特許文献】
【０００３】
【非特許文献１】小原二郎、内田祥哉、宇野英隆編集  「建築・室内・人間工学」鹿島出版会  １９６９年  １１１頁〜１４５頁
【特許文献】
【０００４】
【特許文献１】特開２００２−０５９４０１号公報
【特許文献２】特開平１１−０８３４０７号公報
【発明の概要】
【発明が解決しようとする課題】
【０００５】
ところで、いすを選び使用する場合、使用者の側から上記３要素を調べようとしても、いすのメーカが提供するカタログには、いすの外形寸法しか記載されておらず、３要素を把握することはできない。また、３要素を使用者が角度定規（例えば特許文献１，２に開示されているようなもの）などを使って測定しようとしても、いすの座面と背もたれが交わる部分が、側方から視て微妙な曲線状になっていることから、適切な場所に角度定規を当てにくく、３要素を容易に測定することができない。
【０００６】
本発明はかかる実情等に鑑みて創案されたものであり、いすの座面の傾斜角度、背もたれの支持面の傾斜角度、坐位基準点の高さなどの測定を容易にするための、いすの測定器を提供することを目的とする。
【課題を解決するための手段】
【０００７】
本発明のいすの測定器は、第１〜第３部材と、第１〜第３角度表示手段と、を備える。前記第１部材は、その側部にいすの座面上に配置される直線状の座面配置直線部が設けられている。前記第２部材は、一端部が、前記第１部材の一端部に所定の第１軸線回りに相対回動可能に連結されている。前記第３部材は、その側部に背もたれに沿って配置される直線状の背もたれ配置直線部が設けられ、一端部が、前記第２部材の他端部に前記第１軸線と平行な第２軸線回りに相対回動可能に連結されている。前記第１角度表示手段は、前記第１部材の前記座面配置直線部の水平面に対する角度を示す。前記第２角度表示手段は、前記第１部材の前記座面配置直線部と、前記第１軸線および前記第２軸線間を結ぶ線分とのなす角度を示す。前記第３角度表示手段は、前記第１軸線および前記第２軸線間を結ぶ線分と、前記第３部材の背もたれ配置直線部とのなす角度を示す。
【０００８】
かかる構成を備えるいすの測定器によれば、第１角度表示手段が示す角度を読み取るだけで、座面の傾斜角度を把握することができる。また、第１〜第３角度表示手段が示す角度を読み取り、簡単な算出式にあてはめるだけで、背もたれの支持面の傾斜角度を求めることができる。
【０００９】
既述の構成を備えるいすの測定器において、前記座面配置直線部に沿ってスライド可能に設けられたスライド部材と、前記スライド部材に揺動自在に設けられた振り子と、を備え、前記第１部材には、前記座面配置直線部に沿って目盛が設けられたものとすることが望ましい。
【００１０】
かかる構成を備えるいすの測定器によれば、第１角度表示手段、目盛等から読み取った値を簡単な算出式にあてはめることにより、坐位基準点の高さを求めることができる。
【００１１】
既述の構成を備えるいすの測定器において、前記第２部材には、第２部材の長さを調整することにより、前記第１軸線および前記第２軸線間の距離を調整する、第２部材長さ調整手段が設けられたものとすることが望ましい。
【００１２】
かかる構成を備えるいすの測定器によれば、いすの使用者の身長に応じて腰部支持点を適切に割り出すことができ、当該腰部支持点における背もたれの支持面の傾斜角を測定することが可能となる。
【発明の効果】
【００１３】
本発明のいすの測定器を用いれば、いすの座面の傾斜角度、背もたれの支持面の傾斜角度、坐位基準点の高さなどの測定を容易に行うことができる。
【図面の簡単な説明】
【００１４】
【図１】本発明の実施形態に係るいすの測定器を示す図である。
【図２】本発明の実施形態に係るいすの測定器を主なパーツに分解して表した図である。
【図３】図１のＡ−Ａ断面図である。
【図４】図１のＢ矢視図である。
【図５】図１のＣ矢視図である。
【図６】第２部材の分解斜視図である。
【図７】いすの座面の傾斜角度、背もたれの支持面の傾斜角度、坐位基準点の高さなどを説明するためのスケルトン図である。
【図８】本発明の実施形態に係るいすの測定器をいすの上に配置した状態を示す図である。
【発明を実施するための形態】
【００１５】
以下、本発明の実施形態に係るいすの測定器について図面を参照しながら説明する。図１に示すように、本発明の実施形態に係るいすの測定器１は、第１部材２、第２部材３、第３部材４、第１角度表示手段５、第２角度表示手段６、第３角度表示手段７等で主に構成されている。
【００１６】
第１部材２は、図１〜図４に示すように、座面（図１〜図４において図示せず）上に配置される直線状の座面配置直線部８を有している。この第１部材２は、例えば、２枚の矩形平板９、架設部材１０、安定化部材１１等で構成される。いすの測定器１の使用時の安定性を確保すべく、２枚の矩形平板９は、所定隙間をおいて平行に並んで配置され、これらの先端部の間に架設部材１０が固定されている。矩形平板９の一方の側部（図１において第１部材２の下縁部）が座面配置直線部８となっており、この座面配置直線部８に沿って目盛１６が設けられている。安定化部材１１は、矩形平板９の基端部（図１において右側端部）の両外側にそれぞれ固設されている。安定化部材１１は、第１部材２の先端部より基端部を優先していすの座面に着座させるための拡底とおもりとして機能する。
【００１７】
第２部材３は、その一端部（図１に示す第２部材３の下端部）が、第１部材２の一端部（図１に示す第１部材２の右端部）に、所定の第１軸線１４回りに相対回動可能に連結されている。すなわち、第２部材３の一端部は、第１部材２を構成する２枚の矩形平板９の端部間に挟まれ、第１軸線１４上に配設された軸材１２等によって第１部材２側に軸着されている。第１部材２と第２部材３とは互い第１軸線１４回りに相対回転可能であるものの、人の手を離れていすの上に置かれた状態では、互いの摩擦力によって、相対角度が維持されるようになっている。なお、第２部材３はその長さ寸法を調整することが可能な構造となっているが、この構造については後に詳述する。
【００１８】
図１および図２に示すように第１軸線１４は、第１部材２の一端部の座面配置直線部８の近傍に設けられている。また、図１に示すように第１部材２および第２部材３の角部（図１において右下の角部）にはアール加工が施されており、第１部材２と第２部材３の相対角度がどのような角度であっても第２部材３の角部が第１部材２の座面配置直線部８よりいすの座面側に突出しないようになっている。
【００１９】
第３部材４は、背もたれに沿って配置される直線状の背もたれ配置直線部１３を有するものであって、一端部が、第２部材３の他端部に第２軸線１５回りに相対回動可能に連結されている。この第３部材４は、例えば、図５に示すように、２枚の略矩形状板１７、架設部材１８等で構成されている。２枚の略矩形平板１７は、所定隙間をおいて平行に並んで配置され、これらの一端部間に第２部材３の他端部が挟まれ、第２軸線１５上に配設された軸材等によって第２部材３に軸着されている。また、２枚の略矩形状板１７の他端部間には架設部材１８が固定されている。矩形平板１７の一方の側部（図１において第３部材４の右縁部）が背もたれ配置直線部１３となっている。第３部材４と第２部材３とは互い第２軸線１５回りに相対回転可能であるものの、人の手を離れていすの上に置かれた状態では、互いの摩擦力によって、相対角度が維持されるようになっている。
【００２０】
図１および図２に示すように第２軸線１５は、第３部材４の一端部の背もたれ配置直線部１３の近傍に設けられている。また、図２に示すように第２部材３および第３部材４の角部（図１において、第２部材３の右上の角部と第３部材４の右下の角部）にはアール加工が施されており、第２部材３と第３部材４の相対角度がどのような角度であっても第２部材３の角部が第３部材４の背もたれ配置直線部１３よりいすの背もたれ側（図１において右側）に突出しないようになっている。
【００２１】
第１角度表示手段５は、水平面に対する座面配置直線部８の角度を表示するものである。この第１角度表示手段５は、例えば、第１部材２の長手方向（座面配置直線部８に沿った方向）にスライド可能に設けられたスライド部材２４に形成された分度器１９と、スライド部材２４に揺動自在に設けられた振り子２０とで構成され、振り子２０に設けられた基準線２２ａが分度器１９上の目盛を指示する。分度器１９の目盛は−５°〜＋３０°まで設けられている。
【００２２】
振り子２０は、上端部がビス２９によりスライド部材２４に揺動自在に留め付けられた透明板からなる連結部材２２と、該連結部材２２の下端部に固定された錘２１とで構成されている。連結部材２２には、振り子２０が揺動していないときに鉛直方向を向く基準線２２ａが描かれている。なお、図面において分度器１９の目盛値を示す数値の図示は省略している。後述する分度器２５，２７についても同様に数値の図示を省略している。
【００２３】
第２角度表示手段６は、第１部材２の座面配置直線部８と、第１軸線１４および第２軸線１５間を結ぶ線分２３とのなす角度を表示するものである。この第２角度表示手段６は、例えば、図２に示すように、第２部材３の一端部に固設された分度器２５と、第１部材２の一端部に固設されたカーソル２６とで構成されている。分度器２５の目盛は０°〜９０°まで設けられている。カーソル２６としては、分度器１９上の目盛を指し示す基準線２６ａが描かれた扇状の透明板が採用されている。
【００２４】
第３角度表示手段７は、第１軸線１４および第２軸線１５間を結ぶ線分２３と、第３部材４の背もたれ配置直線部１３とのなす角度を表示するものである。この第３角度表示手段７は、例えば、図２に示すように、第２部材３の他端部に固設された分度器２７と、第３部材４の一端部に固設されたカーソル２８とで構成される。分度器２７の目盛は０°〜９０°まで設けられている。カーソル２８としては、分度器２７上の目盛を指し示す基準線２８ａが描かれた扇状の透明板が採用されている。
【００２５】
本実施形態に係るいすの測定器１には、第２部材長さ調整手段３０が設けられている。この第２部材長さ調整手段３０は、第２部材３の長さを調整することにより、第１軸線１４および第２軸線１５間の距離（前記線分２３の長さ）を調整するものである。この第２部材長さ調整手段３０は、例えば、図６に示すように、第２部材３を２つの部材３１，３２に分割可能な構成とし、各部材３１，３２同士の合わせ面に凸条３４又は凹状３５を設け、これらの凸条３４と凹状３５を嵌合した構造を有する。さらに、一方の部材３１の外側面３１ａから他方の部材３２の内側面３２ａに通じるスリット３６が一方の部材３１に設けられ、他方の部材３２の内側面３２ａに雌ねじ３７が形成されている。そして、ビス３８を矩形座金３９のビス孔４０に通して、雌ねじ３７にねじ込むことで、一方の部材３１が他方の部材３２に締結される。このような構造により、ビス３８を緩めれば両部材３１，３２は互いに長手方向にスライド可能となり、第１軸線１４および第２軸線１５間の距離が調整可能となる。一方、ビス３８を締め付ければ、両部材３１，３２は互いにスライド不能に締結され、第１軸線１４および第２軸線１５間の距離が一定に固定される。
【００２６】
なお、第１軸線１４および第２軸線１５間の距離は所定の値（例えば２７２ｍｍ）を中心に±２０ｍｍの範囲で調整可能となっている。また、一方の部材３１の側面にはスライド方向に目盛３１ｂが設けられ、他方の部材３２の同側面には基準線３２ｂが設けられている。この基準線３２ｂが指し示す目盛値は後述するａｂ間の距離又はａｂ間の距離の近似値を示す。
【００２７】
つぎに、いすの測定器１を使って、図７に示すような、水平面Ｗに対するいすの座面５１の傾斜角度θ１、水平面Ｗに対するいすの背もたれの支持面５２の傾斜角度θ２、坐位基準点ａの高さＨ１等を測定するための手順について説明する。以下では、腰部支持点をｂ、座面５１と背もたれの支持面５２との交線の中央点をｃ、いすの座５０の前端部５３に接する鉛直面と座面５１との交線の中央点をｄとし、∠ａｃｂをθ３、∠ｂａｃをθ４、∠ａｂｃをθ５とする。また、図８に示すように、第１部材２の座面配置直線部８と、第１軸線１４および第２軸線１５間を結ぶ線分２３とのなす角度をθ４’、第３部材４の背もたれ配置直線部１３と、第１軸線１４および第２軸線１５間を結ぶ線分２３とのなす角度をθ５’とする。
【００２８】
なお、坐位基準点ａは、使用者がいすに深く座った時に、座骨結節の中央位置に相当し、腰部支持点ｂは、背もたれにおける、第２ないし第４腰椎を支える部分に相当するが、この腰部支持点ｂは、坐位基準点ａを中心として所定半径（後述する身長に応じたａｂ間の距離と同値の半径）の円弧を描いたときに、背もたれと交差する点と一致する。
【００２９】
測定に先立って第２部材長さ調整手段３０により、第２部材３の長さをいすの使用者の体格に応じて調整する。使用者が平均的な日本人の身長（約１６５ｃｍ）の人である場合、ａｂ間の距離は２８０ｍｍとすることが望ましいので、第２部材３に設けられた基準線３２ｂ（図６参照）が目盛３１ｂ上で２８０ｍｍを指示するように調整する。使用者がより高身長の人又はより低身長の人である場合は、ａｂ間の距離は１６５ｃｍに対するその人の身長の比率を２８０ｍｍに乗じて得られる値とすることが望ましいので、基準線３２ｂが目盛３１ｂ上で当該算出された値を指示するように調整する。
【００３０】
まず、使用者がいすに深く座り、座骨結節の中央点を確認して、当該中央点を坐位基準点ａとする。いすの座面５１上の坐位基準点ａには、筆記具等を用いて印を付ける。
【００３１】
つぎに、いすの座面５１上の印を付けた坐位基準点ａの真上に第１軸線１４が来るようにいすの測定器１の第１部材２をいすの前後方向に向けて座面５１上に配置する。このとき座面配置直線部８が下になるようにする。
【００３２】
つぎに、第１部材２を座面５１上に軽く押さえつけた状態で、第２部材３の端部がいすの背もたれに当たるまで第２部材３を回動させる。このとき第２部材３の端部（第２軸線１５近傍部分）が当たった部分が腰部支持点ｂであり、背もたれの支持面５２（使用者の第２ないし第４腰椎を支える面）でもある。
【００３３】
つぎに、第３部材４を背もたれ側に回動させ、背もたれ配置直線部１３を背もたれの支持面５２に沿わせる。
【００３４】
そして、スライド部材２４の位置を調整して、連結部材２２の側部がいすの座５０の前端部５３に僅かに接し、かつ、振り子２０が鉛直方向に垂れ下がるようにする。
【００３５】
以上によりいすの測定器１は、図８に示すように、いすの上に載置されるが、この状態で、第１角度表示手段５が表示する角度θ１、第２角度表示手段６が表示する角度θ４’、第３角度表示手段７が表示する角度θ５’を読み取る。
【００３６】
座面５１の傾斜角度θ１は、第１角度表示手段５が表示する角度θ１を読み取ることで確認できる。
【００３７】
背もたれの支持面５２の傾斜角度θ２は、第１角度表示手段５が表示する角度θ１、第２角度表示手段６が表示する角度θ４’および第３角度表示手段７が表示する角度θ５’を読み取り、θ４＝θ４’、θ５＝θ５’とみなして、これらの角度θ１、θ４、θ５を次式（１）にあてはめることにより算出することができる。なお、θ４＝θ４’、θ５＝θ５’とみなすことができるのは、第１軸線１４のいすの座面５１に対する離間距離と、第２軸線１５のいすの背もたれの支持面５２に対する離間距離とが何れもａｂ間の距離に対して十分に小さいからである。
θ２＝１８０°−（θ４＋θ５）＋θ１・・・（１）
【００３８】
坐位基準点ａの高さＨ１を求めるに当たっては、別途定規等を用意して、床５４から点ｄまでの高さＨ２を測定するとともに、連結部材２２のいすの座５０側の縁部が目盛１６上で重なる目盛値を、坐位基準点ａから点ｄまでの距離Ｌとして読み取る。そして、高さＨ２、角度θ１および距離Ｌを次式（２）にあてはめることにより坐位基準点ａの高さＨ１を算出することができる。
Ｈ１＝Ｈ２−Ｌ×Ｓｉｎθ１・・・・・・・・（２）
【００３９】
このように、本発明の実施形態に係るいすの測定器１を利用すれば、第１角度表示手段５が示す角度を読み取るだけで、座面５１の傾斜角度θ１を把握することができる。また、第１〜第３角度表示手段５〜７、目盛１６等から読み取った値を簡単な算出式（１）、（２）にあてはめるだけで、背もたれの支持面５２の傾斜角度θ２、坐位基準点ａの高さＨ１を求めることができる。
【００４０】
＜他の実施形態＞
第１〜第３角度表示手段５〜７の構成例として分度器、カーソル等を例に挙げて説明したが、第１〜第３角度表示手段５〜７の構成はこれらに限定されず、種々の構成を採用し得る。また、第１〜第３角度表示手段５〜７は、機械的な構造によって角度表示するものに限定されず、電気的・電磁気的な構成によって角度表示をするもの（例えば、角度をデジタル表示するものなど）であってもよい。
【００４１】
振り子２０は、既述した連結部材２２、錘２１等で構成されるものに限定されず、種々の構成を採用し得る。例えば、糸等の線状体の上端をスライド部材２４に揺動自在に固定し、下端に錘を吊るしたものを振り子として採用することができる。この場合、線状体が座５０の前端部５３に僅かに接し、且つ、鉛直方向を向くようにスライド部材２４の位置を調整することで、坐位基準点ａから点ｄまでの距離Ｌは、目盛１６上で線状体の位置を読み取ることにより得られる。
【００４２】
ところで、図７，図８に示したいすの座面５１および背もたれ５２は概ね平坦な形状となっており、第１部材２の座面配置直線部８および第３部材の背もたれ配置直線部１３は何れも全体的に座面５１、背もたれ５２に密着しているが、例えば、図７，図８のいすと異なり、座面の前側が下方に大きく湾曲しているタイプのいすを測定する場合は、第１部材２の第１軸線１４側を座面に当てることを優先し、第１部材２の先端側を座面から浮かせるようにする。また、背もたれの上側が後方に大きく湾曲しているタイプのいすを測定する場合は、第３部材４の第２軸線１５側を背もたれに当てることを優先し、第３部材４の先端側は背もたれから浮かせるようにする。つまり、いすの座り心地に大きく影響する、坐位基準点ａおよび腰部支持点ｂを基準とする測定を行うことが望ましい。
【００４３】
本発明の実施形態に係るいすの測定器１では、第１軸線１４および第２軸線１５間の距離は所定の値（例えば２７２ｍｍ）を中心に±２０ｍｍの範囲で調整可能となっているが、更に高身長の人および低身長の人にも対応すべく上記調整可能範囲をさらに拡張したものとしてもよい。
【符号の説明】
【００４４】
Ｗ    水平面
１    いすの測定器
２    第１部材
３    第２部材
４    第３部材
５    第１角度表示手段
６    第２角度表示手段
７    第３角度表示手段
８    座面配置直線部
１３  背もたれ配置直線部
１４  第１軸線
１５  第２軸線
１６  目盛
２０  振り子
２３  線分
２４  スライド部材
３０  第２部材長さ調整手段
５１  座面
【図１】
0006053312.tif 000002
【図２】
0006053312.tif 000003
【図３】
0006053312.tif 000004
【図４】
0006053312.tif 000005
【図５】
0006053312.tif 000006
【図６】
0006053312.tif 000007
【図７】
0006053312.tif 000008
【図８】
0006053312.tif 000009